(57)【特許請求の範囲】
【請求項１】
絶縁基板の周辺部以外の箇所に複数の回路用貫通穴を設け、各回路用貫通穴に導電性ペーストを充填することによって複数の回路用ビアホールを形成すると共に、絶縁基板の周辺部に複数の検査用貫通穴を縦横等間隔に設け、各検査用貫通穴に導電性ペーストを充填することによって複数の検査用ビアホールからなるテストクーポンを形成し、次に絶縁基板の両面に金属層を形成した後、エッチングを行うことによって絶縁基板の周辺部以外の箇所に回路パターンを形成すると共に絶縁基板の周辺部の金属層を除去し、これによって露出した検査用ビアホールの導電性ペーストの表面を観察して異物の有無を確認し、この結果に基づいて回路用ビアホールの導電性ペーストと金属層との間の異物の有無を判定することを特徴とする両面プリント配線板の検査方法。
【請求項２】
検査用ビアホールの直径が回路用ビアホールの直径よりも小さいことを特徴とする請求項１に記載の両面プリント配線板の検査方法。
【請求項３】
検査用ビアホール間のピッチが回路用ビアホール間の最小ピッチよりも小さいことを特徴とする請求項１又は２に記載の両面プリント配線板の検査方法。
【請求項４】
絶縁基板の周辺部にディジーパターンを形成することを特徴とする請求項１乃至３のいずれかに記載の両面プリント配線板の検査方法。
【発明の詳細な説明】
【技術分野】
【０００１】
本発明は、両面プリント配線板の良否を検査する方法、より詳しくは、導電ペーストプリント配線板においてビアホールと回路パターンとの間に異物が有るか無いかを確認することができる両面プリント配線板の検査方法に関するものである。
【背景技術】
【０００２】
導電ペーストプリント配線板とは、図６（ａ）に示すように、絶縁基板１に設けた貫通穴２０に導電性ペースト３を充填してビアホール２１を形成し、このビアホール２１の導電性ペースト３によって、絶縁基板１の両面に設けた回路パターン９の層間接続を行うようにしたプリント配線板のことをいう（例えば、特許文献１参照。）。この導電ペーストプリント配線板は、電気・電子素子をコンパクトに実装することができるという特徴を有しているので、近年においては、各種電気・電子製品の分野において多用されている。特に、図６（ａ）のように貫通穴２０を完全に導電性ペースト３で充填することで、ビアランドの上部への電気接続が可能となり、多層化してスタックビアと呼ばれる直上接続型のビアホール２１によって実装密度を上げることができるものである。
【０００３】
このように、導電性ペースト３を貫通穴２０に充填してビアホール２１を形成する場合には、めっきスルーホール（図示省略）と比較して特に問題となる項目として、電気的接続性（導通性）の確保が挙げられる。図６に示すものからも容易に理解することができるように、ビアホール２１を形成する導電性ペースト３と絶縁基板１上の回路パターン９との間の接続が極めて重要であり、この界面に図６（ｂ）のように異物１５が介在するようなことがあれば、著しく接続信頼性が低下してしまう。また、異物１５を含む導電ペーストプリント配線板のロットの発見が遅れた場合、多層化が進んでしまい、完成間際になった時点での不良発覚では、あまりに製造ロスが大きすぎる。従って、導電ペーストプリント配線板をビルドアッププリント配線板の一部として使用する場合には、導電ペーストプリント配線板を製造した時点でその良否を判定することが非常に重要となる。
【０００４】
ところで、従来のめっきスルーホールプリント配線板（図示省略）では、いわゆるディジーパターンを絶縁基板１の周辺部に形成し、このディジーパターンの抵抗値を測定することで、断線や短絡などの不具合を検出することが行われている。この場合、貫通穴の内壁にめっきが析出していない等の不具合の検出を容易に行うことができ、初期故障の大半を抽出することが可能であった。
【特許文献１】特開平６−２６８３４５号公報
【発明の開示】
【発明が解決しようとする課題】
【０００５】
しかしながら、導電ペーストプリント配線板の主要な不良モードには、上述した図６（ｂ）のように、ビアホール２１を形成する導電性ペースト３と絶縁基板１上の回路パターン９との界面に異物１５を巻き込むことによる不良モードがある。この場合、界面全体にわたって異物１５が介在しない限り、ディジーパターンでは抵抗値の異常を検出することができない。つまり、わずかな異物１５が存在していても一時的には電気的接続性を確保することができる。ところが、たとえわずかな異物１５を含む導電ペーストプリント配線板であっても、これが熱履歴を伴った使用をされると、電気的接続性は著しく低下することとなる。そのため、導電性ペースト３と回路パターン９との界面に異物１５が全く存在しないことを確認する作業が非常に重要となるが、上述のようにディジーパターンのみではわずかな異物１５の検出が困難である。
【０００６】
本発明は上記の点に鑑みてなされたものであり、ビアホールと回路パターンとの間に異物が有るか無いかを確認することができる両面プリント配線板の検査方法を提供することを目的とするものである。
【課題を解決するための手段】
【０００７】
本発明の請求項１に係る両面プリント配線板の検査方法は、絶縁基板１の周辺部以外の箇所に複数の回路用貫通穴２を設け、各回路用貫通穴２に導電性ペースト３を充填することによって複数の回路用ビアホール４を形成すると共に、絶縁基板１の周辺部に複数の検査用貫通穴５を縦横等間隔に設け、各検査用貫通穴５に導電性ペースト３を充填することによって複数の検査用ビアホール６からなるテストクーポン７を形成し、次に絶縁基板１の両面に金属層８を形成した後、エッチングを行うことによって絶縁基板１の周辺部以外の箇所に回路パターン９を形成すると共に絶縁基板１の周辺部の金属層８を除去し、これによって露出した検査用ビアホール６の導電性ペースト３の表面を観察して異物の有無を確認し、この結果に基づいて回路用ビアホール４の導電性ペースト３と金属層８との間の異物の有無を判定することを特徴とするものである。
【０００８】
請求項２の発明は、請求項１において、検査用ビアホール６の直径が回路用ビアホール４の直径よりも小さいことを特徴とするものである。
【０００９】
請求項３の発明は、請求項１又は２において、検査用ビアホール６間のピッチが回路用ビアホール４間の最小ピッチよりも小さいことを特徴とするものである。
【００１０】
請求項４の発明は、請求項１乃至３のいずれかにおいて、絶縁基板１の周辺部にディジーパターン１０を形成することを特徴とするものである。
【発明の効果】
【００１１】
本発明の請求項１に係る両面プリント配線板の検査方法によれば、回路用ビアホールと回路パターンとの間に異物が有るか無いかを確認することができるものである。
【００１２】
請求項２の発明によれば、検査用ビアホールと金属層との間に異物が存在しやすくなるように検査条件を厳しくしているので、回路用ビアホールと回路パターンとの間に異物が無い両面プリント配線板をより高い確率で判別することができるものである。
【００１３】
請求項３の発明によれば、検査用ビアホールと金属層との間に異物が存在しやすくなるように検査条件を厳しくしているので、回路用ビアホールと回路パターンとの間に異物が無い両面プリント配線板をより高い確率で判別することができるものである。
【００１４】
請求項４の発明によれば、回路用ビアホールを形成する導電性ペーストと回路パターンを形成する金属層との間の電気的接続性の良否も併せて確認することができるものである。
【発明を実施するための最良の形態】
【００１５】
以下、本発明の実施の形態を説明する。
【００１６】
（実施形態１）
本実施形態では、次のようにして両面プリント配線板（導電ペーストプリント配線板）を製造すると共に、製造直後においてその良否を検査することができるものである。
【００１７】
すなわち、まず図１（ａ）に示すように、絶縁基板１を用意する。絶縁基板１としては、特に限定されるものではないが、例えば、アンクラッド積層基板等を用いることができる。このアンクラッド積層基板は、銅張積層板等の金属張積層板の片面又は両面の金属箔をエッチングにより除去することによって得ることができる。なお、金属張積層板は、ガラスクロス等の基材１１にエポキシ樹脂等の熱硬化性樹脂を含浸させたプリプレグを複数枚重ね、この片面又は両面に銅箔等の金属箔を加熱加圧して得ることができる。
【００１８】
次に図１（ｂ）に示すように、絶縁基板１の両面に接着層１２を形成する。この接着層１２は、絶縁基板１の表面にエポキシ樹脂等をロールコーター等で塗布し、これを乾燥させることによって形成することができる。乾燥は、接着層１２のタック性がなくなるまで行うのが好ましい。
【００１９】
次に図１（ｃ）に示すように、接着層１２の表面にＰＥＴフィルム等の離型フィルム１３をラミネーター等を用いて貼着する。
【００２０】
その後、この絶縁基板１に回路パターン９を形成すると共に、テストクーポン７を形成するのであるが、このテストクーポン７は、回路パターン９が形成される領域１４の外側に形成される。具体的には、図３（平面図）に示すように、回路パターン形成領域１４は、絶縁基板１の周辺部以外の箇所（例えば、中央部など）であるので、テストクーポン７は、絶縁基板１の周辺部に形成することとなる。以下、この工程について詳しく説明する。
【００２１】
まず図１（ｄ）に示すように、絶縁基板１の周辺部以外の箇所（回路パターン９を形成する領域）に複数の回路用貫通穴２を設けると共に、絶縁基板１の周辺部（回路パターン９を形成しない領域）に複数の検査用貫通穴５を設ける。いずれの貫通穴２，５もドリル加工機等を用いて設けることができるが、この穴あけ加工に伴って樹脂スミア等の異物１５（例えば、ガラスクロスやＰＰレジン等）が発生するので、穴あけ後に高圧エアーでいずれの貫通穴２，５の内部もクリーニングしておく。
【００２２】
ここで、回路用貫通穴２は、所望の回路パターン９に基づいて必要とされる数だけ設けるものであるが、検査用貫通穴５は、図４（ａ）に示すように、四辺形状に縦横等間隔に設ける。図４（ａ）では、３種類のものを示しているが、検査用貫通穴５の内径はより小さいものが好ましく、また、隣り合う検査用貫通穴５間のピッチはより小さいものが好ましいので、図４（ａ）では、左側のものよりも中央のもの、中央のものよりも右側のものが好ましい。また、検査用貫通穴５の内径は、回路用貫通穴２の内径よりも小さいことが好ましい。これらの点については後述する。
【００２３】
次に図１（ｅ）に示すように、各回路用貫通穴２に導電性ペースト３を充填することによって複数の回路用ビアホール４を形成すると共に、各検査用貫通穴５に導電性ペースト３を充填することによって複数の検査用ビアホール６を形成する。導電性ペースト３としては、特に限定されるものではないが、例えば、銀ペーストや銅ペースト等を用いることができ、また、各貫通穴２，５へ導電性ペースト３を充填する方法としては、スクリーン印刷等を採用することができる。そして、テストクーポン７は、複数の検査用ビアホール６からなるもので形成されることとなる。
【００２４】
次に図１（ｆ）に示すように、離型フィルム１３を剥離すると、離型フィルム１３の厚み分だけ接着層１２の表面から導電性ペースト３が突出した状態となる。
【００２５】
次に図１（ｇ）に示すように、絶縁基板１の両面（接着層１２及び導電性ペースト３の表面）に金属層８を形成する。金属層８は、絶縁基板１の両面に銅箔等の金属箔１６を配置し、これを真空下において加熱加圧することによって形成することができる。ここで、金属箔１６を配置する際に異物１５を巻き込んで、図６（ｂ）に示すような状態となる場合があるが、このような状態となってしまっても、後述するように、本発明による方法で異物１５の存在を確認することができるものである。なお、異物１５としては、ガラスクロスやＰＰレジン等のほか、工程内のゴミ、人間の皮膚に由来する蛋白質等も例示することができる。
【００２６】
次に、図１（ｇ）に示す金属層８の表面にドライフィルム（図示省略）をラミネートし、露光・現像する。その後、塩化第二銅等を用いてエッチングを行うことによって、図１（ｈ）に示すように、絶縁基板１の周辺部以外の箇所に回路パターン９を形成すると共に、絶縁基板１の周辺部の金属層８を全て除去する。なお、ドライフィルムは、エッチングを行った後に、水酸化ナトリウム溶液等を用いて剥離する。
【００２７】
上記のようにして、両面プリント配線板（導電ペーストプリント配線板）が製造されるのであるが、回路パターン９の形成と同時に、エッチングによる金属層８の除去によって、図１（ｈ）のように検査用ビアホール６の導電性ペースト３の表面が露出することとなる。ここで、エッチングでは、ガラスクロスやＰＰレジン等の異物１５は除去されないので、もし製造工程の途中で導電性ペースト３と金属層８との間に異物１５が巻き込まれた場合には、露出した検査用ビアホール６の導電性ペースト３の表面を観察することによって、異物１５の有無を確認することができる。図５（平面図）は、露出した検査用ビアホール６の導電性ペースト３の表面を図示したものであり、図５（ａ）は異物１５が存在しない状態を示し、図５（ｂ）は異物１５が存在する状態の一例を示す。
【００２８】
そして、検査用ビアホール６の導電性ペースト３と金属層８との間に異物１５が存在する場合には、回路用ビアホール４の導電性ペースト３と金属層８との間にも異物１５が存在する傾向が強いので、検査用ビアホール６の導電性ペースト３の表面を観察した結果に基づいて、回路用ビアホール４の導電性ペースト３と金属層８との間の異物１５の有無を判定することができるものである。すなわち、各検査用ビアホール６の導電性ペースト３の表面を観察した結果、いずれも図５（ａ）に示すような状態であれば、回路用ビアホール４の導電性ペースト３と金属層８との間に異物１５が存在する可能性は低く、両面プリント配線板は、図６（ａ）に示すような良品であると判定することができる。一方、各検査用ビアホール６の導電性ペースト３の表面を観察した結果、いずれかが図５（ｂ）に示すような状態であれば、回路用ビアホール４の導電性ペースト３と金属層８との間に異物１５が存在する可能性が高く、両面プリント配線板は、図６（ｂ）に示すような不良品であると判定することができる。
【００２９】
上記のように、本発明による両面プリント配線板の検査方法によれば、回路用ビアホール４と回路パターン９との間に異物１５が有るか無いかを両面プリント配線板を破壊しないで確認することができるものである。
【００３０】
次に、本実施形態において、より好ましい形態について説明する。まず、図１（ｄ）に示す段階において、検査用貫通穴５の内径が回路用貫通穴２の内径よりも小さくなるように、穴あけ加工を行うのが好ましい。すなわち、図１（ｅ）に示すように、検査用ビアホール６の直径Ｄ１が回路用ビアホール４の直径Ｄ２よりも小さいことが好ましい。そうすると、検査用ビアホール６と金属層８との間に異物１５を挟み込みやすくなって検査条件が厳しくなるので、回路用ビアホール４と回路パターン９との間に異物１５が無い両面プリント配線板をより高い確率で判別することができるものである。
【００３１】
また、図１（ｅ）に示すように、検査用ビアホール６間のピッチＰ１が回路用ビアホール４間の最小ピッチＰ２よりも小さいことが好ましい。このようにしても、検査用ビアホール６と金属層８との間に異物１５を挟み込みやすくなって検査条件が厳しくなるので、回路用ビアホール４と回路パターン９との間に異物１５が無い両面プリント配線板をより高い確率で判別することができるものである。なお、回路用ビアホール４は、所望の回路パターン９に応じて数や位置が変化し、回路用ビアホール４間は等間隔にはならない場合があるので、回路用ビアホール４間のピッチのうち最小のもの（最小ピッチ）Ｐ２を選択し、これを比較の対象として、検査用ビアホール６間のピッチＰ１を決定するものである。
【００３２】
さらに、図３や図４（ｂ）に示すように、絶縁基板１の周辺部には、テストクーポン７を形成した上で、ディジーパターン１０（ディジーチェーン）も形成するのが好ましい。ディジーパターン１０は、例えば、次のようにして回路パターン９の形成と同時に形成することができる。すなわち、まず図１（ｄ）に示す段階において、絶縁基板１の周辺部に検査用貫通穴５の他に複数の貫通穴（図示省略）を２列に列設する。次に図１（ｅ）に示す段階において、各貫通穴に導電性ペースト３を充填する。その後、図１（ｆ）〜図１（ｈ）に示す段階を経て、導電性ペースト３を充填した各貫通穴を金属層８で１本につないで電気的に接続することによって、図４（ｂ）に示すようなディジーパターン１０を得ることができる。このように、ディジーパターン１０も形成しておけば、回路用ビアホール４を形成する導電性ペースト３と回路パターン９を形成する金属層８との間の電気的接続性の良否も併せて確認することができるものである。
【００３３】
（実施形態２）
本実施形態では、次のようにして両面プリント配線板（導電ペーストプリント配線板）を製造すると共に、製造直後においてその良否を検査することができるものである。
【００３４】
すなわち、まず図２（ａ）に示すように、銅箔等の金属箔１６を用意し、この金属箔１６の片面に図２（ｂ）のように略円錐状の回路用バンプ１７及び検査用バンプ１８をそれぞれ複数形成する。いずれのバンプ１７，１８も、銀ペーストや銅ペースト等の導電性ペースト３を用いて形成することができる。なお、回路用バンプ１７の形成箇所は、絶縁基板１の周辺部以外の箇所に相当する箇所であり、また、検査用バンプ１８の形成箇所は、絶縁基板１の周辺部に相当する箇所である。さらに、いずれのバンプ１７，１８も略同一の高さであって、絶縁基板１の厚みよりも長くなるように形成してある。
【００３５】
次に図２（ｃ）に示すように、金属箔１６のバンプ形成面１９を絶縁基板１の片面に重ねて加熱加圧する。そうすると、回路用バンプ１７及び検査用バンプ１８が絶縁基板１を貫通し、絶縁基板１の反対側の面に両バンプ１７，１８の先端が突出することとなる。なお、絶縁基板１としては、実施形態１のものと同様のものを用いることができる。
【００３６】
このように、本実施形態では、絶縁基板１の周辺部以外の箇所（回路パターン９を形成する領域１４）に複数の回路用貫通穴２を設けるという作業と、各回路用貫通穴２に導電性ペースト３を充填して複数の回路用ビアホール４を形成するという作業とを、同時に行うことができる。つまり、図１（ｄ）〜図１（ｆ）に相当する工程を図２（ｃ）に示す工程で済ませることができるものである。同様に、絶縁基板１の周辺部（回路パターン９を形成しない領域）に複数の検査用貫通穴５を設けるという作業と、各検査用貫通穴５に導電性ペースト３を充填して複数の検査用ビアホール６を形成するという作業とを、同時に行うこともできる。そして、テストクーポン７は、複数の検査用ビアホール６からなるもので形成されることとなる。また、本実施形態では、ドリル加工機等による穴あけ加工が不要となるので、樹脂スミア等の異物１５（例えば、ガラスクロスやＰＰレジン等）が発生しにくいものである。
【００３７】
ここで、回路用ビアホール４は、所望の回路パターン９に基づいて必要とされる数だけ設けるものであるが、検査用ビアホール６は、図４（ａ）に示すように、四辺形状に縦横等間隔に設ける。図４（ａ）では、３種類のものを示しているが、検査用ビアホール６の直径はより小さいものが好ましく、また、隣り合う検査用ビアホール６間のピッチはより小さいものが好ましいので、図４（ａ）では、左側のものよりも中央のもの、中央のものよりも右側のものが好ましい。また、検査用ビアホール６の直径は、回路用ビアホール４の直径よりも小さいことが好ましい。これらの点については実施形態１で説明した通りである。なお、本実施形態では、ビアホールの形状は、円柱状ではなく、円錐状であるので、ビアホールの直径という場合には、円錐底面の直径を意味する。
【００３８】
次に図２（ｄ）に示すように、絶縁基板１の両面に金属層８を形成する。ここで、絶縁基板１の一方の面には既に図２（ｃ）のように金属箔１６によって金属層８が形成されているので、絶縁基板１の他方の面に銅箔等の金属箔１６を配置し、これを真空下において加熱加圧することによって、残りの金属層８を形成する。ここで、金属箔１６を配置する際に異物１５を巻き込んで、図６（ｂ）に示すような状態となる場合があるが、このような状態となってしまっても、後述するように、本発明による方法で異物１５の存在を確認することができるものである。なお、異物１５としては、ガラスクロスやＰＰレジン等のほか、工程内のゴミ、人間の皮膚に由来する蛋白質等も例示することができる。
【００３９】
次に、図２（ｄ）に示す金属層８の表面にドライフィルム（図示省略）をラミネートし、露光・現像する。その後、塩化第二銅等を用いてエッチングを行うことによって、図２（ｅ）に示すように、絶縁基板１の周辺部以外の箇所に回路パターン９を形成すると共に、絶縁基板１の周辺部の金属層８を全て除去する。なお、ドライフィルムは、エッチングを行った後に、水酸化ナトリウム溶液等を用いて剥離する。
【００４０】
上記のようにして、両面プリント配線板（導電ペーストプリント配線板）が製造されるのであるが、回路パターン９の形成と同時に、エッチングによる金属層８の除去によって、図２（ｅ）のように検査用ビアホール６の導電性ペースト３の表面が露出することとなる。ここで、エッチングでは、ガラスクロスやＰＰレジン等の異物１５は除去されないので、もし製造工程の途中で導電性ペースト３と金属層８との間に異物１５が巻き込まれた場合には、露出した検査用ビアホール６の導電性ペースト３の表面を観察することによって、異物１５の有無を確認することができる。図５（平面図）は、露出した検査用ビアホール６の導電性ペースト３の表面を図示したものであり、図５（ａ）は異物１５が存在しない状態を示し、図５（ｂ）は異物１５が存在する状態の一例を示す。
【００４１】
そして、検査用ビアホール６の導電性ペースト３と金属層８との間に異物１５が存在する場合には、回路用ビアホール４の導電性ペースト３と金属層８との間にも異物１５が存在する傾向が強いので、検査用ビアホール６の導電性ペースト３の表面を観察した結果に基づいて、回路用ビアホール４の導電性ペースト３と金属層８との間の異物１５の有無を判定することができるものである。すなわち、各検査用ビアホール６の導電性ペースト３の表面を観察した結果、いずれも図５（ａ）に示すような状態であれば、回路用ビアホール４の導電性ペースト３と金属層８との間に異物１５が存在する可能性は低く、両面プリント配線板は、図６（ａ）に示すような良品であると判定することができる。一方、各検査用ビアホール６の導電性ペースト３の表面を観察した結果、いずれかが図５（ｂ）に示すような状態であれば、回路用ビアホール４の導電性ペースト３と金属層８との間に異物１５が存在する可能性が高く、両面プリント配線板は、図６（ｂ）に示すような不良品であると判定することができる。
【００４２】
上記のように、本発明による両面プリント配線板の検査方法によれば、回路用ビアホール４と回路パターン９との間に異物１５が有るか無いかを両面プリント配線板を破壊しないで確認することができるものである。
【００４３】
次に、本実施形態において、より好ましい形態について説明する。まず、図２（ｂ）に示す段階において、検査用バンプ１８の直径が回路用バンプ１７の直径よりも小さくなるように、両バンプを金属箔１６に形成しておくのが好ましい。すなわち、図２（ｃ）に示すように、検査用ビアホール６の直径Ｄ１が回路用ビアホール４の直径Ｄ２よりも小さいことが好ましい。そうすると、検査用ビアホール６と金属層８との間に異物１５を挟み込みやすくなって検査条件が厳しくなるので、回路用ビアホール４と回路パターン９との間に異物１５が無い両面プリント配線板をより高い確率で判別することができるものである。
【００４４】
また、図２（ｃ）に示すように、検査用ビアホール６間のピッチＰ１が回路用ビアホール４間の最小ピッチＰ２よりも小さいことが好ましい。このようにしても、検査用ビアホール６と金属層８との間に異物１５を挟み込みやすくなって検査条件が厳しくなるので、回路用ビアホール４と回路パターン９との間に異物１５が無い両面プリント配線板をより高い確率で判別することができるものである。なお、回路用ビアホール４は、所望の回路パターン９に応じて数や位置が変化し、回路用ビアホール４間は等間隔にはならない場合があるので、回路用ビアホール４間のピッチのうち最小のもの（最小ピッチ）Ｐ２を選択し、これを比較の対象として、検査用ビアホール６間のピッチＰ１を決定するものである。
【００４５】
さらに、図３や図４（ｂ）に示すように、絶縁基板１の周辺部には、テストクーポン７を形成した上で、ディジーパターン１０（ディジーチェーン）も形成するのが好ましい。ディジーパターン１０は、例えば、次のようにして回路パターン９の形成と同時に形成することができる。すなわち、まず図２（ｂ）に示す段階において、絶縁基板１の周辺部に検査用バンプ１８の他に複数の円錐状バンプ（図示省略）を２列に列設する。これらの円錐状バンプも図２（ｃ）のように絶縁基板１を貫通させる。その後、図２（ｄ）〜図２（ｅ）に示す段階を経て、円錐状バンプで形成された複数のビアホール（図示省略）を金属層８で１本につないで電気的に接続することによって、図４（ｂ）に示すようなディジーパターン１０を得ることができる。このように、ディジーパターン１０も形成しておけば、回路用ビアホール４を形成する導電性ペースト３と回路パターン９を形成する金属層８との間の電気的接続性の良否も併せて確認することができるものである。
【実施例】
【００４６】
以下、本発明を実施例によって具体的に説明する。
【００４７】
（実施例１）
まず図１（ａ）に示すように、絶縁基板１として、ＦＲ−４グレードのアンクラッド基板（松下電工（株）製「Ｒ１６２１」、板厚０．１ｍｍ）を用意した。
【００４８】
次に図１（ｂ）に示すように、絶縁基板１の両面に接着層１２を形成した。この接着層１２は、絶縁基板１の表面にエポキシ樹脂をロールコーターで塗布し、これを乾燥させることによって形成した。乾燥は、接着層１２のタック性がなくなるまで６０℃で行った。接着層１２の厚みは３０μｍである。
【００４９】
次に図１（ｃ）に示すように、接着層１２の表面にＰＥＴフィルム（東レ（株）製「Ｔ−６０」、厚み３８μｍ）をラミネーターを用いて貼着した。この貼着は、温度８０℃、圧力０．０５ＭＰａの条件で行った。
【００５０】
次に図１（ｄ）に示すように、絶縁基板１の周辺部以外の箇所に１２００個の回路用貫通穴２（穴径０．１５ｍｍ）を設けると共に、絶縁基板１の周辺部に２８００個の検査用貫通穴５（穴径０．１０ｍｍ）を設けた。いずれの貫通穴もドリル加工機を用いて設け、穴あけ後に高圧エアーでいずれの貫通穴の内部もクリーニングした。
【００５１】
次に図１（ｅ）に示すように、各回路用貫通穴２に導電性ペースト３を充填することによって１２００個の回路用ビアホール４を形成すると共に、各検査用貫通穴５に導電性ペースト３を充填することによって２８００個の検査用ビアホール６からなるテストクーポン７を形成した。導電性ペースト３としては、銀を主成分とするものを用いた。各貫通穴２，５へ導電性ペースト３を充填する方法としては、スクリーン印刷を採用した。
【００５２】
次に図１（ｆ）に示すように、ＰＥＴフィルムを剥離すると、ＰＥＴフィルムの厚み分だけ接着層１２の表面から導電性ペースト３が突出した状態となった。
【００５３】
次に図１（ｇ）に示すように、絶縁基板１の両面に金属層８を形成した。金属層８は、絶縁基板１の両面に銅箔を配置し、これを１８０℃で約１時間、真空下において加熱加圧することによって形成した。
【００５４】
次に、図１（ｇ）に示す金属層８の表面にドライフィルム（図示省略）をラミネートし、露光・現像した。その後、塩化第二銅を用いてエッチングを行うことによって、図１（ｈ）に示すように、絶縁基板１の周辺部以外の箇所に回路パターン９を形成すると共に、絶縁基板１の周辺部の金属層８を全て除去した。なお、ドライフィルムは、エッチングを行った後に、水酸化ナトリウム溶液を用いて剥離した。
【００５５】
上記のようにして、両面プリント配線板（導電ペーストプリント配線板）を製造した。そして、露出した２８００個の検査用ビアホール６の表面を観察したところ、異物１５は全く存在しないことを確認した。この結果に基づくと、１２００個の回路用ビアホール４と金属層８との間にも異物１５が全く無いと判定することができる。実際に断面観察を行ったところ、異物１５が全く存在しないことを確認することができた。
【００５６】
（実施例２）
穴あけ後に高圧エアーによるクリーニングを意図的に行わなかった以外は、実施例１と同様にして、両面プリント配線板（導電ペーストプリント配線板）を製造した。そして、露出した２８００個の検査用ビアホール６の表面を観察したところ、３５個の検査用ビアホール６の表面に異物１５が存在することを確認した。この結果に基づくと、１２００個の回路用ビアホール４と金属層８との間にも異物１５が存在すると判定することができる。実際に断面観察を行ったところ、１５個の回路用ビアホール４と金属層８との間に異物１５が存在することを確認することができた。
【図面の簡単な説明】
【００５７】
【図１】本発明の実施の形態の一例を示すものであり、（ａ）〜（ｈ）は断面図である。
【図２】本発明の実施の形態の他の例を示すものであり、（ａ）〜（ｅ）は断面図である。
【図３】両面プリント配線板の一例を示す平面図である。
【図４】同上の一部を拡大したものであり、（ａ）は一例の平面図、（ｂ）は他の例の平面図である。
【図５】検査用ビアホールの一例を示すものであり、（ａ）は異物の無い状態の平面図、（ｂ）は異物の有る状態の平面図である。
【図６】両面プリント配線板の一例を示すものであり、（ａ）は良品の断面図、（ｂ）は不良品の断面図である。
【符号の説明】
【００５８】
１  絶縁基板
２  回路用貫通穴
３  導電性ペースト
４  回路用ビアホール
５  検査用貫通穴
６  検査用ビアホール
７  テストクーポン
８  金属層
９  回路パターン
１０  ディジーパターン
【図１】
0004407607.tif 000002
【図２】
0004407607.tif 000003
【図３】
0004407607.tif 000004
【図４】
0004407607.tif 000005
【図５】
0004407607.tif 000006
【図６】
0004407607.tif 000007